(57)【要約】【課題】本発明は、小型化を実現するとともに高ズーム比を有するズームレンズシステムを提供することを目的とする。【解決手段】撮像対象物側から結像側に向かって、正の屈折力を有する第一レンズ群、負の屈折力を有する第二レンズ群、正の屈折力を有する第三レンズ群、正の屈折力を有する第四レンズ群の順で配置され、第一レンズ群、第二レンズ群、第三レンズ群及び第四レンズ群は、全て光軸に沿って移動可能に設置され、以下の条件式を満たす。  ０．１５＜｜Ｌ３｜／Ｌｔ＜０．２５Ｌ３は、ズームレンズシステムが広角端から望遠端にズームしているときの第三レンズ群の光軸に沿った移動ベクトルであり、且つ前記移動ベクトルは撮像対象物側から結像側に向かうときに正の値であって、結像側から撮像対象物側に向かうときに負の値であり、Ｌｔは、ズームレンズシステムの望遠状態での光軸方向に沿った全長である。【選択図】図１
2012113296.tif 000002
【特許請求の範囲】
【請求項１】
撮像対象物側から結像側に向かって、正の屈折力を有する第一レンズ群、負の屈折力を有する第二レンズ群、正の屈折力を有する第三レンズ群、正の屈折力を有する第四レンズ群の順で配置され、前記第一レンズ群、前記第二レンズ群、前記第三レンズ群及び前記第四レンズ群は、全て光軸に沿って移動可能に設置され、以下の条件式を満足することを特徴とするズームレンズシステム。
０．１５＜｜Ｌ３｜／Ｌｔ＜０．２５
ただし、Ｌ３は、前記ズームレンズシステムが広角端から望遠端にズームしているときの前記第三レンズ群の光軸に沿った移動ベクトルであり、且つ前記移動ベクトルは撮像対象物側から結像側に向かうときに正の値であり、結像側から撮像対象物側に向かうときに負の値であり、Ｌｔは、前記ズームレンズシステムの望遠状態での光軸方向に沿った全長である。
【請求項２】
前記ズームレンズシステムは、以下の条件式も満たすことを特徴とする請求項１に記載のズームレンズシステム。
０．１５＜ｆ３／ｆｔ＜０．２
ただし、ｆ３は、前記第三レンズ群の有効焦点距離であり、ｆｔは、前記ズームレンズシステムの望遠状態での有効焦点距離である。
【請求項３】
前記ズームレンズシステムは、以下の条件式も満たすことを特徴とする請求項１または２に記載のズームレンズシステム。
７．２＜Ｌｗ×Ｌｔ／ｆｗ×ｆｔ＜７．８
ただし、Ｌｗは、前記ズームレンズシステムの広角状態での光軸に沿った全長であり、ｆｗは、前記ズームレンズシステムの広角状態での有効焦点距離である。
【請求項４】
前記第一レンズ群は、撮像対象物側から結像側に向かって負の屈折力を有する第一レンズ及び正の屈折力を有する第二レンズを備え、前記第一レンズの結像側の表面と前記第二レンズの撮像対象物側の表面とが接着剤によって接合されることを特徴とする請求項１から３のいずれか一項に記載のズームレンズシステム。
【請求項５】
前記第二レンズ群は、撮像対象物側から結像側に向かって負の屈折力を有する第三レンズ、負の屈折力を有する第四レンズ及び正の屈折力を有する第五レンズを備えることを特徴とする請求項１から４のいずれか一項に記載のズームレンズシステム。
【請求項６】
前記第三レンズ群は、撮像対象物側から結像側に向かって正の屈折力を有する第六レンズ及び負の屈折力を有する第七レンズを備えることを特徴とする請求項１から５のいずれか一項に記載のズームレンズシステム。
【請求項７】
前記第四レンズ群は、正の屈折力を有する第八レンズを備えることを特徴とする請求項１から６のいずれか一項に記載のズームレンズシステム。
【請求項８】
前記第三レンズ群は、撮像対象物側から結像側に向かって正の屈折力を有する第六レンズ、正の屈折力を有する第七レンズ及び負の屈折力を有する第九レンズを備えることを特徴とする請求項１から７のいずれか一項に記載のズームレンズシステム。
【請求項９】
前記ズームレンズシステムは、前記第三レンズ群と前記第四レンズ群との間に設置される遮光シートをさらに備えることを特徴とする請求項１から８のいずれか一項に記載のズームレンズシステム。
【請求項１０】
前記ズームレンズシステムは、前記第二レンズ群と前記第三レンズ群との間に設置される絞りをさらに備えることを特徴とする請求項１から９のいずれか一項に記載のズームレンズシステム。
【発明の詳細な説明】
【技術分野】
【０００１】
本発明は、ズームレンズシステムに関するものである。
【背景技術】
【０００２】
小型化及び高ズーム比が、デジタルカメラにおける発展として望まれている。しかし、高ズーム比を実現するためには、ズームレンズシステムの内部に各々のレンズ群が移動できる空間を設けなければならないので、ズームレンズシステムの全長が増加して、小型化に不向きである。
【発明の概要】
【発明が解決しようとする課題】
【０００３】
本発明の目的は、小型化を実現するとともに高ズーム比を有するズームレンズシステムを提供することである。
【課題を解決するための手段】
【０００４】
前記目的を達成するため、本発明に係るズームレンズシステムは、撮像対象物側から結像側に向かって、正の屈折力を有する第一レンズ群、負の屈折力を有する第二レンズ群、正の屈折力を有する第三レンズ群、正の屈折力を有する第四レンズ群の順で配置され、前記第一レンズ群、前記第二レンズ群、前記第三レンズ群及び前記第四レンズ群は、全て光軸に沿って移動可能に設置され、以下の条件式を満たす。
０．１５＜｜Ｌ３｜／Ｌｔ＜０．２５
ただし、Ｌ３は、前記ズームレンズシステムが広角端から望遠端にズームしているときの前記第三レンズ群の光軸に沿った移動ベクトルであり、且つ前記移動ベクトルは撮像対象物側から結像側に向かうときに正の値であり、結像側から撮像対象物側に向かうときに負の値であり、Ｌｔは、前記ズームレンズシステムの望遠状態での光軸方向に沿った全長である。
【発明の効果】
【０００５】
本発明のズームレンズシステムは、小型化を実現するとともに高ズーム比を有する。
【図面の簡単な説明】
【０００６】
【図１】本発明の第一実施形態に係るズームレンズシステムの構造を示す図である。
【図２】図１に示すズームレンズシステムの広角状態での球面収差図である。
【図３】図１に示すズームレンズシステムの広角状態での像面湾曲図である。
【図４】図１に示すズームレンズシステムの広角状態での歪曲収差図である。
【図５】図１に示すズームレンズシステムの望遠状態での球面収差図である。
【図６】図１に示すズームレンズシステムの望遠状態での像面湾曲図である。
【図７】図１に示すズームレンズシステムの望遠状態での歪曲収差図である。
【図８】本発明の第二実施形態に係るズームレンズシステムの構造を示す図である。
【図９】図８に示すズームレンズシステムの広角状態での球面収差である。
【図１０】図８に示すズームレンズシステムの広角状態での像面湾曲図である。
【図１１】図８に示すズームレンズシステムの広角状態での歪曲収差図である。
【図１２】図８に示すズームレンズシステムの望遠状態での球面収差図である。
【図１３】図８に示すズームレンズシステムの望遠状態での像面湾曲図である。
【図１４】図８に示すズームレンズシステムの望遠状態での歪曲収差図である。
【発明を実施するための形態】
【０００７】
以下、図面を参照して、本発明の実施例について説明する。
【０００８】
図１は、本発明の第一実施形態に係るズームレンズシステム１００の構造を示す図である。前記ズームレンズシステム１００の光軸に沿って、撮像対象物側から結像側に向かって、正の屈折力を有する第一レンズ群１０、負の屈折力を有する第二レンズ群２０、正の屈折力を有する第三レンズ群３０、正の屈折力を有する第四レンズ群４０及び結像面５０が順番に配置される。結像する場合、撮像対象物側から入射した光線は、前記第一レンズ群１０、前記第二レンズ群２０、前記第三レンズ群３０及び前記第四レンズ群４０を順番に通過して前記結像面５０に集まって結像される。
【０００９】
前記第一レンズ群１０、前記第二レンズ群２０、前記第三レンズ群３０及び前記第四レンズ群４０は、全て前記ズームレンズシステム１００の光軸に沿って移動可能に設置されて、ズーム機能を実現することができる。前記ズームレンズシステム１００が広角端から望遠端にズームしている場合、前記第一レンズ群１０と前記第二レンズ群２０との間の間隔は広くなり、前記第二レンズ群２０と前記第三レンズ群３０との間の間隔は狭くなる。
【００１０】
本実施形態において、前記第一レンズ群１０は、撮像対象物側から結像側に向かって負の屈折力を有する第一レンズ１１及び正の屈折力を有する第二レンズ１２を備える。前記第一レンズ１１及び前記第二レンズ１２は、第一レンズ１１の結像側の表面と第二レンズ１２の撮像対象物側の表面とが接着剤によって接合されることで一体になって複合レンズを構成する。前記第二レンズ群２０は、撮像対象物側から結像側に向かって負の屈折力を有する第三レンズ２１、負の屈折力を有する第四レンズ２２及び正の屈折力を有する第五レンズ２３を備える。前記第三レンズ群３０は、撮像対象物側から結像側に向かって正の屈折力を有する第六レンズ３１及び負の屈折力を有する第七レンズ３２を備える。前記第四レンズ群４０は、正の屈折力を有する第八レンズ４１を備える。
【００１１】
前記ズームレンズシステム１００は、前記第二レンズ群２０と前記第三レンズ群３０との間に設置される絞り６０をさらに備え、前記ズームレンズシステム１００の構造全体が前記絞り６０に対して対称となるようにして、コマ収差の影響を効果的に低減するとともに、前記第二レンズ群２０を通過した光線の前記第三レンズ群３０に入射する光量を制限して、前記第三レンズ群３０を通過した光錐の対称性を向上させて、前記ズームレンズシステム１００のコマ収差を修正する。
【００１２】
前記ズームレンズシステム１００は、前記結像面５０の撮像対象物側に設置されるフィルター８０をさらに備える。
【００１３】
前記ズームレンズシステム１００は、以下の条件式を満たしている。
【００１４】
０．１５＜｜Ｌ３｜／Ｌｔ＜０．２５……（１）
【００１５】
Ｌ３は、前記ズームレンズシステム１００が広角端から望遠端にズームしているときの前記第三レンズ群３０の光軸に沿った移動ベクトルであり、且つ前記移動ベクトルは撮像対象物側から結像側に向かうときに正の値であり、結像側から撮像対象物側に向かうときに負の値である。Ｌｔは、前記ズームレンズシステム１００の望遠状態での光軸方向に沿った全長である。前記条件式（１）が０．２５より大きい場合、前記第二レンズ群２０及び前記第三レンズ群３０の屈折力が過度に大きいため、前記ズームレンズシステム１００の望遠状態での球面収差が過度に大きくなり、前記ズームレンズシステム１００の光軸方向に沿った全長が短い場合、前記ズームレンズシステム１００の望遠状態での球面収差を十分に補正することができず、従って前記ズームレンズシステム１００の小型化の要求を満たすことができない。前記条件式（１）が０．１５より小さい場合、前記第三レンズ群３０の光軸に沿った移動量が過度に小さいため、前記ズームレンズシステム１００の望遠状態で焦点を合わすことができずぼやけるので、修正が難しくなり、前記ズームレンズシステム１００の望遠状態での結像品質に影響する。本実施形態において、Ｌ３＝−１４．３９４ｍｍ、Ｌｔ＝６０．０８１ｍｍ、｜Ｌ３｜／Ｌｔ＝０．２４０である。
【００１６】
優れた光学性能を保証するために、前記ズームレンズシステム１００は、以下の条件式を満たしている。
【００１７】
０．１５＜ｆ３／ｆｔ＜０．２……（２）
【００１８】
ｆ３は、前記第三レンズ群３０の有効焦点距離であり、ｆｔは、前記ズームレンズシステム１００の望遠状態での有効焦点距離である。前記条件式（２）が０．２より大きい場合、前記第三レンズ群３０の焦点距離が過度に長いので、前記ズームレンズシステム１００の球面収差を平衡させ且つズーム比（前記ズームレンズシステム１００の望遠状態での焦点距離と広角状態での焦点距離との比である）を維持するために、前記第二レンズ群２０の焦点距離を長くすることを必要とし、即ち前記第二レンズ群２０の屈折力が小さくなり、前記ズームレンズシステム１００が広角状態である場合、角度が大きい光線を集めることができず、従って前記第一レンズ群１０の外径を大きくしなければならないので、前記ズームレンズシステム１００の外径が過度に大きくなる。前記条件式（２）が０．２より小さい場合、前記第三レンズ群３０の焦点距離が過度に短く、前記ズームレンズシステム１００の球面収差を平衡させ且つズーム比を維持するために、前記第二レンズ群２０の焦点距離を短くすることを必要とし、即ち前記第二レンズ群２０の屈折力が大きくなるので、前記ズームレンズシステム１００の横色収差、軸色収差及び球面収差を補正することが難しい。本実施形態において、ｆ３＝１０．１４６ｍｍ、ｆｔ＝５７．９００ｍｍ、ｆ３／ｆｔ＝０．１７５ｍｍである。
【００１９】
厚さをさらに薄くするために、前記ズームレンズシステム１００は、以下の条件式を満たしている。
【００２０】
７．２＜Ｌｗ×Ｌｔ／ｆｗ×ｆｔ＜７．８……（３）
【００２１】
Ｌｗは、前記ズームレンズシステム１００の広角状態での光軸に沿った全長であり、ｆｗは、前記ズームレンズシステム１００の広角状態での有効焦点距離である。本実施形態において、Ｌｗ＝３７．８１４ｍｍ、Ｌｔ＝６０．０８１ｍｍ、ｆｗ＝５．１４４ｍｍ、ｆｔ＝５７．９００ｍｍ、Ｌｗ×Ｌｔ／ｆｗ×ｆｔ＝７．６２８である。
【００２２】
レンズ表面の中心を原点として、光軸がｘ軸である場合、レンズ表面の非球面形状は以下の数式によって規定される。
【００２３】
【数１】
2012113296.tif 000003
【００２４】
ｈは、光軸から非球面までの高さであり、ｋは、二次曲面係数であり、Ａｉは、非球面のｉ番目のオーダー（ｏｒｄｅｒ）補正係数であり、ｃは、頂点曲率である。以下の表１〜表４のデータを前記数式に代入することにより、レンズ表面の非球面形状を求めることができる。
【００２５】
前記ズームレンズシステム１００の各々の光学素子は、以下の表１〜表４の条件を満たす。Ｒは、各々のレンズの光学表面の曲率半径であり、Ｄは、光軸に沿った隣り合う２つのレンズ表面間の距離であり、Ｎｄは、対応するレンズのｄ光線（波長が５８７ｎｍである）に対する屈折率であり、Ｖｄは、対応するレンズのｄ光線に対するアッベ数であり、ｆは、前記ズームレンズシステム１００の有効焦点距離であり、ＦＮｏは、Ｆナンバーであり、２ωは、前記ズームレンズシステム１００の視野角である。
【００２６】
【表１】
2012113296.tif 000004
【００２７】
【表２】
2012113296.tif 000005
【００２８】
【表３】
2012113296.tif 000006
【００２９】
【表４】
2012113296.tif 000007
【００３０】
図２〜図４は、前記ズームレンズシステム１００の広角状態での球面収差、像面湾曲、歪曲収差を示す。図２は、Ｆ線（波長が４８６ｎｍである光線）、ｄ線（波長が５８８ｎｍである光線）、Ｃ線（波長が６５６ｎｍである光線）の球面収差値を示す。本実施形態に係るズームレンズシステム１００の可視光線（波長範囲は、４００ｎｍ〜７００ｎｍである）に対する球面収差値は、−０．２ｍｍ〜０．２ｍｍの範囲である。図３に示したように、Ｓ（Ｓａｇｉｔｔａｌ  ｆｉｅｌｄ  ｃｕｒｖａｔｕｒｅ  ｃｕｒｖｅ）及びＴ（Ｔａｎｇｅｎｔｉａｌ  ｆｉｅｌｄ  ｃｕｒｖａｔｕｒｅ  ｃｕｒｖｅ）は、全て０〜０．２ｍｍの範囲内で制御される。図４に示したように、歪曲収差は、−２０％〜０の範囲内で制御される。前記ズームレンズシステム１００の広角状態での球面収差、像面湾曲及び歪曲収差は、全てより小さい範囲内に制御（修正）される。
【００３１】
図５〜図７は、前記ズームレンズシステム１００の望遠状態での球面収差、像面湾曲、歪曲収差を示す。図５は、Ｆ線（波長が４８６ｎｍである光線）、ｄ線（波長が５８８ｎｍである光線）、Ｃ線（波長が６５６ｎｍである光線）の球面収差値を示す。本実施形態に係るズームレンズシステム１００の可視光線（波長範囲は、４００ｎｍ〜７００ｎｍである）に対する球面収差値は、−０．５ｍｍ〜０．５ｍｍの範囲である。図６に示したように、Ｓ（Ｓａｇｉｔｔａｌ  ｆｉｅｌｄ  ｃｕｒｖａｔｕｒｅ  ｃｕｒｖｅ）及びＴ（Ｔａｎｇｅｎｔｉａｌ  ｆｉｅｌｄ  ｃｕｒｖａｔｕｒｅ  ｃｕｒｖｅ）は、全て−０．５ｍｍ〜０．５ｍｍの範囲内で制御される。図７に示したように、歪曲収差は、−１％〜１％の範囲内で制御される。前記ズームレンズシステム１００の望遠状態での球面収差、像面湾曲及び歪曲収差は、全てより小さい範囲内に制御（修正）される。
【００３２】
図８は、本発明の第二実施形態に係るズームレンズシステム２００の構造を示す図である。前記ズームレンズシステム２００の光軸に沿って、撮像対象物側から結像側に向かって、正の屈折力を有する第一レンズ群２１０、負の屈折力を有する第二レンズ群２２０、正の屈折力を有する第三レンズ群２３０、正の屈折力を有する第四レンズ群２４０及び結像面２５０が順番に配列される。本実施形態において、前記第一レンズ群２１０は、撮像対象物側から結像側に向かって負の屈折力を有する第一レンズ２１１及び正の屈折力を有する第二レンズ２１２を備える。前記第一レンズ２１１及び前記第二レンズ２１２は、第一レンズ２１１の結像側の表面と第二レンズ２１２の撮像対象物側の表面とが接着剤によって接合されることで一体になって複合レンズを構成する。前記第二レンズ群２２０は、撮像対象物側から結像側に向かって負の屈折力を有する第三レンズ２２１、負の屈折力を有する第四レンズ２２２及び正の屈折力を有する第五レンズ２２３を備える。前記第四レンズ群２４０は、正の屈折力を有する第八レンズ２４１を備える。前記ズームレンズシステム２００は、前記第二レンズ群２２０と前記第三レンズ群２３０との間に設置される絞り２６０及び前記結像面２５０の撮像対象物側に設置されるフィルター２８０をさらに備える。
【００３３】
本実施形態に係る前記ズームレンズシステム２００は、前記第一実施形態に係るズームレンズシステム１００に比べて、前記第三レンズ群２３０は、撮像対象物側から結像側に向かって正の屈折力を有する第六レンズ２３１、正の屈折力を有する第七レンズ２３２及び負の屈折力を有する第九レンズ２３３を備え、且つ前記第七レンズ２３２と前記第九レンズ２３３とは、前記第七レンズ２３２の結像側の表面と前記第九レンズ２３３の撮像対象物側の表面とが接着剤によって接合されることで一体になって複合レンズを構成する。前記ズームレンズシステム２００は、前記第三レンズ群２３０と前記第四レンズ群２４０との間に設置される遮光シート２９０をさらに備える。前記遮光シート２９０は、前記第三レンズ群２３０から前記第四レンズ群２４０に入射する大きい角度の望ましくない入射光を遮るために用いられる。
【００３４】
本実施形態において、Ｌ３＝−１４．０８２ｍｍ、Ｌｔ＝５９．８８９ｍｍ、｜Ｌ３｜／Ｌｔ＝０．２３５、ｆ３＝９．９３５ｍｍ、ｆｔ＝５７．８８３ｍｍ、ｆ３／ｆｔ＝０．１７２ｍｍ、Ｌｗ＝３７．０２９ｍｍ、ｆｗ＝５．１３７ｍｍ、Ｌｗ×Ｌｔ／ｆｗ×ｆｔ＝７．４５８である。
【００３５】
前記ズームレンズシステム２００の各々の光学素子は、以下の表５〜表７の条件を満たす。Ｒは、各々のレンズの光学表面の曲率半径であり、Ｄは、光軸に沿った隣り合う２つのレンズ表面間の距離であり、Ｎｄは、対応するレンズのｄ光線（波長が５８７ｎｍである）に対する屈折率であり、Ｖｄは、対応するレンズのｄ光線に対するアッベ数であり、ｆは、前記ズームレンズシステム２００の有効焦点距離であり、ＦＮｏは、Ｆナンバーであり、２ωは、前記ズームレンズシステム２００の視野角である。
【００３６】
【表５】
2012113296.tif 000008
【００３７】
【表６】
2012113296.tif 000009
【００３８】
【表７】
2012113296.tif 000010
【００３９】
【表８】
2012113296.tif 000011
【００４０】
図９〜図１１は、前記ズームレンズシステム２００の広角状態での球面収差、像面湾曲、歪曲収差を示す。図９は、Ｆ線（波長が４８６ｎｍである光線）、ｄ線（波長が５８８ｎｍである光線）、Ｃ線（波長が６５６ｎｍである光線）の球面収差値を示す。本実施形態に係るズームレンズシステム２００の可視光線（波長範囲は、４００ｎｍ〜７００ｎｍである）に対する球面収差値は、−０．２ｍｍ〜０．２ｍｍの範囲である。図１０に示したように、Ｓ（Ｓａｇｉｔｔａｌ  ｆｉｅｌｄ  ｃｕｒｖａｔｕｒｅ  ｃｕｒｖｅ）及びＴ（Ｔａｎｇｅｎｔｉａｌ  ｆｉｅｌｄ  ｃｕｒｖａｔｕｒｅ  ｃｕｒｖｅ）は、全て０〜０．２ｍｍの範囲内で制御される。図１１に示したように、歪曲収差は、−２０％〜０の範囲内で制御される。前記ズームレンズシステム２００の広角状態での球面収差、像面湾曲及び歪曲収差は、全てより小さい範囲内に制御（修正）される。
【００４１】
図１２〜図１４は、前記ズームレンズシステム２００の望遠状態での球面収差、像面湾曲、歪曲収差を示す。図１２は、Ｆ線（波長が４８６ｎｍである光線）、ｄ線（波長が５８８ｎｍである光線）、Ｃ線（波長が６５６ｎｍである光線）の球面収差値を示す。本実施形態に係るズームレンズシステム２００の可視光線（波長範囲は、４００ｎｍ〜７００ｎｍである）に対する球面収差値は、−０．５ｍｍ〜０．５ｍｍの範囲である。図１３に示したように、Ｓ（Ｓａｇｉｔｔａｌ  ｆｉｅｌｄ  ｃｕｒｖａｔｕｒｅ  ｃｕｒｖｅ）及びＴ（Ｔａｎｇｅｎｔｉａｌ  ｆｉｅｌｄ  ｃｕｒｖａｔｕｒｅ  ｃｕｒｖｅ）は、全て−０．５ｍｍ〜０．５ｍｍの範囲内で制御される。図１４に示したように、歪曲収差は、−１％〜１％の範囲内で制御される。前記ズームレンズシステム２００の望遠状態での球面収差、像面湾曲及び歪曲収差は、全てより小さい範囲内に制御（修正）される。
【００４２】
本発明のズームレンズシステムは、高ズーム比を有するだけでなく、光軸方向に沿った厚さも大きく減少させる。
【００４３】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００４４】
１０，２１０  第一レンズ群
１１，２１１  第一レンズ
１２，２１２  第二レンズ
２０，２２０  第二レンズ群
２１，２２１  第三レンズ
２２，２２２  第四レンズ
２３，２２３  第五レンズ
２３３  第九レンズ
２９０  遮光シート
３０，２３０  第三レンズ群
３１，２３１  第六レンズ
３２，２３２  第七レンズ
４０，２４０  第四レンズ群
４１，２４１  第八レンズ
５０，２５０  結像面
６０，２６０  絞り
８０，２８０  フィルター
【図１】
2012113296.tif 000012
【図２】
2012113296.tif 000013
【図３】
2012113296.tif 000014
【図４】
2012113296.tif 000015
【図５】
2012113296.tif 000016
【図６】
2012113296.tif 000017
【図７】
2012113296.tif 000018
【図８】
2012113296.tif 000019
【図９】
2012113296.tif 000020
【図１０】
2012113296.tif 000021
【図１１】
2012113296.tif 000022
【図１２】
2012113296.tif 000023
【図１３】
2012113296.tif 000024
【図１４】
2012113296.tif 000025